(57)【特許請求の範囲】
【請求項１】
鉄筋コンクリートからなる複数の基礎梁と、該複数の基礎梁に支持された最下層スラブと、該最下層スラブとの間に地下ピットを形成するように該最下層スラブの下方に配置されたピット底版とを備え、前記基礎梁には、貫通孔が形成される建築物を構築する、建築物の構築方法において、
前記貫通孔が形成される前記基礎梁を構築する際には、
前記基礎梁の下面の少なくとも一部含み、前記貫通孔が形成される部分を除いた部分をプレキャスト化し、該プレキャスト化された部分（以下、“プレキャスト部”とする）を建築現場に設置するプレキャスト部設置工程を実施し、
前記プレキャスト部設置工程の実施後、前記基礎梁の部分であって前記プレキャスト部以外の部分（以下、“現場打ち部”とする）を前記貫通孔と共に、現場打ちにより作成する現場打ち工程を実施し、
前記基礎梁を貫通する貫通孔を前記プレキャスト部設置工程後の前記現場打ち工程にて形成する、
ことを特徴とする建築物の構築方法。
【請求項２】
前記ピット底版を現場打ちにより作成するピット底版作成工程、
を備えたことを特徴とする請求項１に記載の建築物の構築方法。
【請求項３】
前記ピット底版は、該ピット底版の下面が前記基礎梁の下面よりも高くなるように作成される、
ことを特徴とする請求項２に記載の建築物の構築方法。
【発明の詳細な説明】
【技術分野】
【０００１】
本発明は、基礎梁と地下ピットを備えた建築物を構築する、建築物の構築方法に関する。
【背景技術】
【０００２】
従来、地下ピットがある建築物については種々の構造のものが提案されている（例えば、特許文献１及び２参照）。
【０００３】
図３は、地下ピットがある建築物の従来構造の一例を示す断面図であり、符号１００は、捨てコンクリートを示し、符号１０１は、該捨てコンクリート１００上に設置されたピット底版を示し、符号１０２は、基礎梁を示し、符号１０３は、該基礎梁１０２の上端側に設置されるスラブ（最下層スラブ）を示している。また、符号１０４は、前記ピット底版１０１と前記最下層スラブ１０３との間に形成された地下ピットを示している。
【０００４】
そして、この基礎梁１０２をプレキャスト化する技術についても種々のものが提案されている（例えば、特許文献３，４参照）。
【先行技術文献】
【特許文献】
【０００５】
【特許文献１】特開２０００−２９７９９３号公報
【特許文献２】特開２００９−２４３０７５号公報
【特許文献３】特開２００１−１３１９８９号公報
【特許文献４】特開平９−２０３０５３号公報
【発明の概要】
【発明が解決しようとする課題】
【０００６】
ところで、上述のような地下ピット１０４には貯水槽などの様々な設備が配置されることが多く、その場合には、前記基礎梁１０２には様々な貫通孔（例えば、作業者が通るための人通口や、通水管や通気管などを通すための貫通孔など）を穿設する必要がある。
【０００７】
しかしながら、前記基礎梁１０２をプレキャスト工法で作成する場合には、前記設備の配置位置が最終決定されて前記貫通孔の位置が決定されるまでは作成を開始できず、作業効率が悪くなってしまう（つまり、作業期間が長期化してしまう）という問題があった。
【０００８】
本発明は、上述の問題を解消することのできる建築物の構築方法を提供することを目的とするものである。
【課題を解決するための手段】
【０００９】
請求項１に係る発明は、図１に例示するものであって、鉄筋コンクリートからなる複数の基礎梁（２）と、該複数の基礎梁（２）に支持された最下層スラブ（４）と、該最下層スラブ（４）との間に地下ピット（５）を形成するように該最下層スラブ（４）の下方に配置されたピット底版（６）とを備え、前記基礎梁には、貫通孔が形成される建築物（１）を構築する、建築物の構築方法において、
前記貫通孔が形成される前記基礎梁を構築する際には、
前記基礎梁（２）の下面（２ａ）の少なくとも一部含み、前記貫通孔が形成される部分を除いた部分をプレキャスト化し、該プレキャスト化された部分（符号２Ａ参照。以下、“プレキャスト部”とする）を建築現場に設置するプレキャスト部設置工程を実施し、
前記プレキャスト部設置工程の実施後、前記基礎梁（２）の部分であって前記プレキャスト部（２Ａ）以外の部分（符号２Ｂ参照。以下、“現場打ち部”とする）を前記貫通孔と共に、現場打ちにより作成する現場打ち工程を実施し、
前記基礎梁（２）を貫通する貫通孔（２ｂ，２ｃ）を前記プレキャスト部設置工程後の前記現場打ち工程にて形成する、ことを特徴とする。
【００１０】
請求項２に係る発明は、請求項１に係る発明において、前記ピット底版（６）を現場打ちにより作成するピット底版作成工程、を備えたことを特徴とする。
【００１１】
請求項３に係る発明は、請求項２に係る発明において、前記ピット底版（６）が、該ピット底版（６）の下面（６ａ）が前記基礎梁（２）の下面（２ａ）よりも高くなるように作成されることを特徴とする。
【００１２】
請求項４に係る発明は、請求項１乃至３のいずれか１項に記載の発明において、前記基礎梁（図２の符号１２参照）の部分であって基礎杭（１３）によって支持される部分（１２Ｄ）を“支持部”とした場合に、
前記現場打ち部は、隣接する２つの支持部（１２Ｄ，１２Ｄ）の間の中央部付近（１２Ｂ）を少なくとも含み、かつ、
前記貫通孔（１２ｂ，１２ｃ）は、該中央部付近（１２Ｂ）に形成されることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１及び２に係る発明によれば、前記基礎梁の一部（つまり、前記プレキャスト部）はプレキャスト化されているので、その分、現場打ちの作業を減らして作業の効率化を図ることができる。また、前記貫通孔を形成する部分はプレキャスト化せずに現場打ちにより作成するようになっているので、該貫通孔の位置が決定していない段階でも前記プレキャスト部を作成することができ、その点においても作業の効率化（つまり、作業期間の短縮化）を図ることができる。
【００１５】
請求項３に係る発明によれば、前記地下ピットの高さが必要以上に高くなることも無く、その分、掘削する土量を減らして、作業の効率化を図ることができる。
【００１６】
請求項４に係る発明によれば、前記貫通孔の形成に伴う前記基礎梁の強度低下を最小限にすることができる。
【図面の簡単な説明】
【００１７】
【図１】図１は、本発明により構築される建築物の構造の一例を示す断面図である。
【図２】図２は、本発明により構築される建築物の構造の他の例を示す側面図である。
【図３】図３は、地下ピットがある建築物の従来構造の一例を示す断面図である。
【発明を実施するための形態】
【００１８】
以下、図１及び図２に沿って、本発明の実施の形態について説明する。
【００１９】
本発明により構築される建築物は、図１に符号１で例示するものであって、
・  鉄筋コンクリートからなる複数の基礎梁２と、
・  該複数の基礎梁２に支持された最下層スラブ４と、
・  該最下層スラブ４との間に地下ピット５を形成するように該最下層スラブ４の下方に配置されたピット底版６と、
を備えている。
【００２０】
そして、本発明に係る建築物の構築方法は、前記建築物１を構築する方法であって、
・  少なくとも１つの基礎梁２の下面２ａの少なくとも一部を含む部分であってプレキャストされた部分（以下、必要に応じて“プレキャスト部”とする）２Ａを建築現場に設置するプレキャスト部設置工程と、
・  前記基礎梁２の部分であって前記プレキャスト部以外の部分（以下、必要に応じて“現場打ち部”とする）２Ｂを現場打ちにより作成する現場打ち工程と、
を備えており、前記基礎梁２を貫通する貫通孔２ｂ，２ｃを前記現場打ち工程にて前記現場打ち部２Ｂに形成するものである。
【００２１】
本発明によれば、前記基礎梁２の一部２Ａはプレキャスト化されているので、その分、現場打ちの作業を減らして作業の効率化を図ることができる。また、本発明によれば、前記貫通孔２ｂ，２ｃを形成する部分２Ｂはプレキャスト化せずに現場打ちにより作成するようになっているので、該貫通孔２ｂ，２ｃの位置が決定していない段階でも前記プレキャスト部２Ａを作成することができ、その点においても作業の効率化（つまり、作業期間の短縮化）を図ることができる。
【００２２】
また、本発明に係る建築物の構築方法は、前記ピット底版６を現場打ちにより作成するピット底版作成工程、を備えるようにすると良い。その場合、該ピット底版６は、
・  その一部を、前記基礎梁２の下面２ａを含む部分２Ａと共にプレキャスト化するようにしても、或いは、
・  そのようなプレキャスト化はせずに全てを現場打ちだけで作成するようにしても、
どちらでも良い。また、該ピット底版６の下面６ａは前記基礎梁２の下面２ａとほぼ同じ高さにする必要はなく、該ピット底版６の下面６ａが該基礎梁２の下面２ａよりも高くなるように該ピット底版６を作成すると良い。そのようにした場合には、前記地下ピット５の高さが必要以上に高くなることも無く、その分、掘削する土量を減らして、作業の効率化を図ることができる。また、前記ピット底版６に掛かる水圧を小さくできるので、該ピット底版６の厚みを小さくしたり、該ピット底版６における配筋の数を減らしたりすることができる。
【００２３】
一方、地盤上に捨てコンクリート７を打設する工程を前記プレキャスト部設置工程の前に実施し、前記プレキャスト部２Ａは該捨てコンクリート７の上に設置するようにすると良い。また、前記基礎梁２の上方に最下階スラブ４を構築する工程を前記現場打ち工程の後に実施するようにすると良い。
【００２４】
また一方、前記基礎梁（図２の符号１２参照）を支持するように複数の基礎杭１３，…を設けた場合であって、該基礎梁１２の部分（一部）であって該基礎杭１３によって支持される部分１２Ｄ，…を“支持部”とした場合に、前記現場打ち部は、隣接する２つの支持部１２Ｄ，１２Ｄの間の中央部付近１２Ｂを少なくとも含み、かつ、前記貫通孔は、符号１２ｂ，１２ｃで示すように、該中央部付近１２Ｂに形成するようにすると良い。そのようにした場合には、該貫通孔１２ｂ，１２ｃの形成に伴う前記基礎梁１２の強度低下を最小限にすることができる。
【符号の説明】
【００２５】
１                建築物
２                基礎梁
２ａ              基礎梁の下面
２ｂ，２ｃ        貫通孔
２Ａ              プレキャスト部
２Ｂ              現場打ち部
４                最下層スラブ
５                地下ピット
６                ピット底版
６ａ              ピット底版の下面
１２              基礎梁
１２Ｄ            支持部
１３              基礎杭
【図１】
0006449078.tif 000002
【図２】
0006449078.tif 000003
【図３】
0006449078.tif 000004